(57)【特許請求の範囲】
【請求項１】
電解質膜と、前記電解質膜を挟んで対向配置される燃料極および酸素極とを備える燃料電池と、
前記燃料極に燃料としてヒドラジン類を供給する燃料供給手段と、
前記酸素極に酸素を供給する酸素供給手段と、
前記燃料極側および前記酸素極側の少なくとも一方から排出されるヒドラジン類を含有する排出物を溜めるための貯留部と、
前記酸素供給手段から供給される酸素を前記貯留部の前記ヒドラジン類に気泡として吹き込み、前記貯留部に溜められる前記排出物を無害化する無害化手段と
を備えることを特徴とする、燃料電池システム。
【請求項２】
前記貯留部が、気液分離器であることを特徴とする、請求項１に記載の燃料電池システム。
【請求項３】
さらに、
前記貯留部に接続され、前記貯留部に溜められた排出物を系外に排出するための排出路と、
前記排出路の途中に介在され、前記排出路を開閉するための排出バルブと
を備えることを特徴とする、請求項１または２に記載の燃料電池システム。
【発明の詳細な説明】
【技術分野】
【０００１】
本発明は、ヒドラジン類を燃料とする燃料電池を備える燃料電池システムに関する。
【背景技術】
【０００２】
従来、ヒドラジン類を燃料として燃料極に直接供給する直接燃料供給型燃料電池が提案されている。
例えば、アニオン交換樹脂からなる電解質膜と、この電解質膜の一方側表面に、コバルトナノパウダーとアニオン交換樹脂との混合物を塗布することにより形成された燃料側電極と、電解質膜の他方側表面に、銀を担持したカーボンを塗布することにより形成された酸素側電極とを備え、燃料として水加ヒドラジンが燃料側電極に供給される燃料電池が提案されている（特許文献１参照。）。
【０００３】
特許文献１の燃料電池では、燃料側電極で窒素のみが生成され、直接メタノール型燃料電池のように、炭酸ガスの生成がなく、実質的なゼロエミッションを実現することができる。
【特許文献１】特開２００６−２４４９６１号公報
【発明の開示】
【発明が解決しようとする課題】
【０００４】
しかるに、ヒドラジン類は、火災や爆発のおそれがあり、また、強アルカリ性である。そのため、燃料極側から排出される未反応のヒドラジン類や、燃料極側から酸素極側にクロスオーバーした後、酸素極側から排出されるヒドラジン類を効率的に無害化処理する必要がある。
本発明の目的は、ヒドラジン類を燃料とする燃料電池において、排出されるヒドラジン類を、システムとして効率的に無害化処理することのできる燃料電池システムを提供することにある。
【課題を解決するための手段】
【０００５】
上記目的を達成するために、本発明の燃料電池システムは、電解質膜と、前記電解質膜を挟んで対向配置される燃料極および酸素極とを備える燃料電池と、前記燃料極に燃料としてヒドラジン類を供給する燃料供給手段と、前記酸素極に酸素を供給する酸素供給手段と、前記燃料極側および前記酸素極側の少なくとも一方から排出されるヒドラジン類を含有する排出物を溜めるための貯留部と、前記酸素供給手段から供給される酸素を前記貯留部に供給して、前記貯留部に溜められる前記排出物を無害化する無害化手段とを備えることを特徴としている。
【０００６】
また、本発明の燃料電池システムでは、前記貯留部が、気液分離器であることが好適である。
【発明の効果】
【０００７】
本発明の燃料電池システムでは、燃料電池における燃料極側および酸素極側の少なくとも一方から排出されるヒドラジン類を含有する排出物を、貯留部に溜める。そして、貯留部では、無害化手段により酸素が供給され、この酸素と溜められた排出物中のヒドラジン類とを反応させて無害化処理が行なわれる。
このように、本発明の燃料電池システムでは、排出物中のヒドラジン類と酸素とを反応させてヒドラジン類が無害化処理されるので、ヒドラジン類が燃料電池システムの系外へ排出されることを防止することができる。さらに、燃料電池の発電のために酸素供給手段から供給される酸素を利用して無害化処理が行なわれるので、ヒドラジン類を処理する装置などを別途設ける必要がない。その結果、燃料電池システムを、効率的に無害化処理することのできるシステムとして構築することができる。
【発明を実施するための最良の形態】
【０００８】
（第１の実施形態）
図１は、本発明の燃料電池システムの第１の実施形態を示す概略構成図である。
図１において、燃料電池システム１は、燃料電池２と、燃料電池２に燃料を供給するための燃料供給手段としての燃料供給部３と、燃料電池２に酸素を供給するための酸素供給手段としての酸素供給部４と、燃料電池２からの排出物を排出するための排出部５と、燃料電池２の運転を制御する制御部６とを備えている。
（Ａ）燃料電池
燃料電池２は、ヒドラジン類を燃料とする、例えば、固体高分子形（ＰＥＦＣ）の燃料電池である。燃料電池２は、電解質膜７と、電解質膜７を挟んで対向配置される燃料極としてのアノード部８および酸素極としてのカソード部９とを備えており、これらが１つの発電単位（単位セル）として複数積層されることによりスタック構造に形成されている。なお、図１では、便宜上、複数の単位セルのうち、１つだけを表わし、その他の単位セルについては省略している。
【０００９】
電解質膜７としては、例えば、プロトン交換膜、アニオン交換膜などの固体高分子膜が挙げられる。
プロトン交換膜としては、その内部をプロトン（Ｈ+）が移動できる膜であれば、特に制限されず、例えば、パーフルオロスルホン酸膜が挙げられる。
アニオン交換膜としては、その内部をアニオン（例えば、水酸化物イオン（ＯＨ-））が移動できる膜であれば、特に制限されず、例えば、４級アンモニウム基、ピリジニウム基などのアニオン交換基を有する固体高分子膜（アニオン交換樹脂）が挙げられる。
【００１０】
アノード部８は、電解質膜７の一方の面に接触形成された燃料側電極１０と、燃料側電極１０における電解質膜７と接触する他方の面とは反対側の一方の面に接触形成され、隣接する単位セルとの境界を成す燃料側セパレータ１１とを備えている。
燃料側電極１０の材料としては、特に制限されず、例えば、触媒が担持された多孔質担体などが挙げられる。
【００１１】
多孔質担体としては、特に制限されず、例えば、カーボンなどの撥水性担体が挙げられる。
触媒としては、特に制限されず、例えば、白金族元素（Ｒｕ、Ｒｈ、Ｐｄ、Ｏｓ、Ｉｒ、Ｐｔ）、鉄族元素（Ｆｅ、Ｃｏ、Ｎｉ）などの周期表第８〜１０（ＶＩＩＩ）族元素や、例えば、Ｃｕ、Ａｇ、Ａｕなどの周期表第１１（ＩＢ）族元素など、さらには、これらの組み合わせなどが挙げられ、好ましくは、Ｐｔ（白金）が挙げられる。
【００１２】
そして、燃料側電極１０は、電解質膜７の他方の面に接触形成される後述する酸素側電極１２および電解質膜７とともに、１つの膜・電極接合体を形成している。
燃料側セパレータ１１には、燃料側電極１０との接触面において、燃料側電極１０に向けて開放する溝（図示せず）が形成されている。アノード部８では、この溝と燃料側電極１０の一方の面とにより形成される燃料流路内を、燃料が流れる。また、燃料側セパレータ１１には、その燃料の流入口（図示せず）に、後述する燃料供給路１５が接続されており、また、その燃料の流出口（図示せず）に、後述する燃料排出路１９が接続されている。
【００１３】
また、図１では表われていないが、アノード部８には、燃料としてのヒドラジン類の濃度を検知するための濃度センサが設けられている。
カソード部９は、電解質膜７の他方の面に接触形成された酸素側電極１２と、酸素側電極１２における電解質膜７と接触する一方の面とは反対側の他方の面に接触形成され、隣接する単位セルとの境界を成す酸素側セパレータ１３とを備えている。
【００１４】
酸素側電極１２の材料としては、特に制限されず、例えば、燃料側電極１０の材料と同様の材料が挙げられる。酸素側電極１２は、燃料側電極１０および電解質膜７とともに、１つの膜・電極接合体を形成している。
酸素側セパレータ１３には、酸素側電極１２との接触面において、酸素側電極１２に向けて開放する溝（図示せず）が形成されている。カソード部９では、この溝と酸素側電極１２の他方の面とにより形成される酸素流路内を、酸素を含む空気（以下では、酸素を含む空気を、単に、「酸素」ということがある。）が流れる。また、酸素側セパレータ１３には、その酸素の流入口（図示せず）に、後述する酸素供給路１７が接続されており、また、その酸素の流出口（図示せず）に、後述する酸素排出路２０が接続されている。
（Ｂ）燃料供給部
燃料供給部３は、燃料が貯められる燃料タンク１４と、燃料タンク１４内の燃料をアノード部８に供給する燃料供給路１５とを備えている。
【００１５】
燃料タンク１４には、燃料としてのヒドラジン類が、例えば、ヒドラジン類の水溶液として貯蔵されている。
ヒドラジン類としては、例えば、無水ヒドラジン（ＮＨ2ＮＨ2）、水加ヒドラジン（ＮＨ2ＮＨ2・Ｈ2Ｏ）などのヒドラジン、トリアザン（ＮＨ2ＮＨＮＨ2）、テトラザン（ＮＨ2ＮＨＮＨＮＨ2）などが挙げられ、好ましくは、無水ヒドラジン、水加ヒドラジンが挙げられる。
【００１６】
燃料供給路１５は、上流側の一端が燃料タンク１４の燃料流出口（図示せず）に接続され、下流側の他端が燃料側セパレータ１１の燃料流入口（図示せず）に接続されている。また、燃料供給路１５の途中には、アノード部８への燃料の供給量を調節するための燃料供給バルブ１６が介在されている。
燃料供給バルブ１６は、燃料供給路１５を開閉するための弁であって、例えば、電磁弁などの公知の開閉弁である。また、燃料供給バルブ１６は、制御部６と電気的に接続されており（図１の破線参照。）、制御部６からの入力信号により、その開閉が制御される。
（Ｃ）酸素供給部
酸素供給部４は、酸素をカソード部９に供給する酸素供給路１７を備えている。
【００１７】
酸素供給路１７は、上流側の一端が大気中に開放され、下流側の他端が酸素側セパレータ１３の酸素流入口（図示せず）に接続されている。酸素供給路１７の途中には、酸素供給ポンプ１８が介在されている。
酸素供給ポンプ１８は、大気中の酸素を、酸素供給路１７に流すためのポンプであって、例えば、エアコンプレッサなどの公知の送気ポンプである。また、酸素供給ポンプ１８は、制御部６と電気的に接続されており（図１の破線参照。）、制御部６からの入力信号により稼動するとともに、その出力が制御される。酸素供給ポンプ１８の出力が制御されることによって、酸素供給路１７を流れる酸素の流量が制御される。
（Ｄ）排出部
排出部５は、アノード部８で生成する生成物や未反応の燃料などを排出物として排出するための燃料排出路１９と、アノード部８からクロスオーバーする燃料などを排出物として排出するとともに、カソード部９に供給される酸素を排出するための、無害化手段としての酸素排出路２０と、燃料排出路１９および酸素排出路２０に排出された排出物を溜めるための貯留部２１と、貯留部２１に溜められた排出物をシステムの系外に排出するための排出路２３とを備えている。
【００１８】
燃料排出路１９は、上流側の一端が燃料側セパレータ１１の燃料流出口（図示せず）に接続され、下流側の他端が貯留部２１の一方側に接続されている。また、燃料排出路１９の途中には、アノード部８からの排出物の排出量を調節するための燃料排出バルブ２２が介在されている。
燃料排出バルブ２２は、燃料排出路１９を開閉するための弁であって、例えば、電磁弁などの公知の開閉弁である。また、燃料排出バルブ２２は、制御部６と電気的に接続されており（図１の破線参照。）、制御部６からの入力信号により、その開閉が制御される。
【００１９】
酸素排出路２０は、上流側の一端が酸素側セパレータ１３の酸素流出口（図示せず）に接続され、下流側の他端が貯留部２１の他方側に接続されている。
貯留部２１は、燃料電池２よりも下方に配置され、例えば、排出物を溜めることのできる公知の貯留槽の他、排出物を溜めることのできる槽を備える装置であってもよい。貯留部２１として、好ましくは、排出物を溜めることのできる槽を備える装置が挙げられ、具体的には、排出物を溜めるとともに、排出物を気体成分と液体成分とに分離できる気液分離器が挙げられる。
【００２０】
貯留部２１が気液分離器である場合、その分離機構としては、例えば、衝突型、サイクロン型、邪魔板型、ワイヤーメッシュ型などが挙げられる。なお、以下では、貯留部２１が気液分離器であるとして説明する。
貯留部２１には、その他方側の酸素排出路２０の接続位置よりも上方において、排出物の気体成分を系外に排出するための気体排出路２５が接続されている。
【００２１】
排出路２３は、上流側の一端が、貯留部２１の一方側において、燃料排出路１９の接続位置よりも下方に接続され、下流側の他端がドレンとされる。また、排出路２３の途中には、排出バルブ２４が介在されている。
排出バルブ２４は、排出路２３を開閉するための弁であって、例えば、電磁弁などの公知の開閉弁である。また、排出バルブ２４は、制御部６と電気的に接続されており（図１の破線参照。）、制御部６からの入力信号により、その開閉が制御される。
（Ｅ）制御部
制御部６は、例えば、ＣＰＵ、ＲＯＭおよびＲＡＭなどを備えるマイクロコンピュータで構成されている。制御部６には、燃料供給バルブ１６、酸素供給ポンプ１８および燃料排出バルブ２２および排出バルブ２４が制御対象として電気的に接続されている（図１の破線参照）。
（Ｆ）貯留部の内部構成
図２は、図１に示す貯留部２１の内部構成を示す断面図である。なお、図２では、気液分離機構を省略して貯留部２１を表わしている。
【００２２】
貯留部２１は、略直方体形状に形成されている。貯留部２１の内部には、上記一方側の壁と他方側の側壁との間に、ヒドラジン類と酸素との反応を促進させるための触媒板２６が複数設置されている。
触媒板２６は、例えば、略矩形状のメッシュ板で形成され、好ましくは、略矩形状の銅板メッシュで形成される。複数の触媒板２６は、一方側の側壁と他方側の側壁とが対向する幅方向に沿って、各触媒板２６の一方および他方の面が互いに対向するように所定の間隔を隔てて配置されている。
【００２３】
また、貯留部２１の内部には、酸素排出路２０の下流側端部が配設されている。具体的には、酸素排出路２０の下流側端部は、上流側の上流路２７と下流側の下流路２８とが略直角に屈曲する略Ｌ形状に形成され、最下流側端部が閉塞されている。貯留部２１の内部においては、上流路２７が、貯留部２１の他方側の側壁に沿って触媒板２６の下端よりも下方に延び、下流路２８が上流路２７に対して垂直に折れ曲がり、触媒板２６の下方、貯留部２１の底壁付近を幅方向に沿って延びるように配設されている。
【００２４】
下流路２８には、貯留部２１に溜められる排出物に対して、酸素を吹き込むための多数の小孔２９が形成されている。多数の小孔２９は、下流路２８において、その上方、つまり、触媒板２６が設置される側に対向するように形成されている。
また、貯留部２１の一方側の側壁下部には、上記したように排出路２３が接続されている。
（Ｇ）燃料電池システムでの発電
以上説明した燃料電池システム１では、制御部６によって、燃料供給バルブ１６が開かれ、酸素供給ポンプ１８が稼動されることにより、燃料供給路１５に燃料としてのヒドラジン類が供給され、酸素供給路１７に酸素が供給される。
【００２５】
供給される燃料の流量は、例えば、ヒドラジン類の水溶液として、０〜４１．４ｍｌ／ｓであり、好ましくは、４．１４〜８．２８ｍｌ／ｓである。
また、酸素の供給量は、例えば、燃料電池２において目標とされる発電電力量の発生に必要な酸素の化学当量の１．１〜２．２倍の量であり、具体的な数値としては、供給される燃料の流量や目標発電電力量により異なるが、供給圧力として、例えば、０〜２００ｋＰａ・Ｇ（ゲージ圧）であり、好ましくは、５０〜１５０ｋＰａ・Ｇ（ゲージ圧）である。つまり、燃料電池システム１の発電において、酸素は、燃料電池２の目標発電電力量に必要な必要量よりも多い余剰量で供給される。
【００２６】
そして、燃料は、アノード部８の燃料流路（図示せず）に流入し、スタック構造とされた各単位セルの燃料側電極１０と接触する。
一方、酸素は、酸素供給ポンプ１８の稼動により、カソード部９の酸素流路（図示せず）に流入し、スタック構造とされた各単位セルの酸素側電極１２と接触する。
そして、電解質膜７がアニオン交換膜である場合、燃料電池２では、下記反応式（１）〜（３）で表わされる反応が生じて、発電が行なわれる。
（１）  Ｎ2Ｈ4＋４ＯＨ-→Ｎ2＋４Ｈ2Ｏ＋４ｅ-   （アノード部８での反応）
（２）  Ｏ2＋２Ｈ2Ｏ＋４ｅ-→４ＯＨ-           （カソード部９での反応）
（３）  Ｎ2Ｈ4＋Ｏ2→Ｎ2＋２Ｈ2Ｏ              （燃料電池２全体での反応）
（Ｈ）ヒドラジン類を含有する排出物の無害化処理
上記した発電では、アノード部８に水（Ｈ2Ｏ）が生成するため、アノード部８中の燃料濃度が低下して、燃料電池２の発電効率が低下するおそれがある。燃料濃度の低下に起因する燃料電池２の発電効率の低下を防止すべく、発電中には、アノード部８の濃度センサ（図示せず）の検知に応じて、燃料排出バルブ２２が開かれることにより、アノード部８で生成する水（Ｈ2Ｏ）およびその水と混合される未反応の燃料（ヒドラジン類）が、図１および図２において実線で液面が示されるように、排出物として貯留部２１に溜められる。
【００２７】
一方、カソード部９では、アノード部８から燃料（ヒドラジン類）が電解質膜７をクロスオーバーして滞留するおそれがある。そのため、発電中には、クロスオーバーした燃料が、カソード部９に供給された余剰量の酸素とともに酸素排出路２０を通って、アノード部８からの排出物とともに排出物として貯留部２１に溜められる。なお、クロスオーバーした燃料は、貯留部２１に供給される酸素との飛沫同伴により、貯留部２１に溜められる。
【００２８】
そして、貯留部２１では、溜められた排出物に対して無害化処理が行なわれる。なお、排出物に対する無害化処理とは、貯留部２１に溜められる排出物に含有されるヒドラジン類の全部または一部を酸素との反応により分解する処理である。
そして、具体的には、カソード部９を通過して酸素排出路２０から排出された酸素が、下流路２８の小孔２９から上方に向けて、触媒板２６の面に沿って排出物中に気泡として吹き込まれることにより、排出物中のヒドラジン類と酸素とが接触する。カソード部９を通過する酸素は、燃料電池２の発電により生じる熱で、例えば、６０〜９０℃程度に温められるので、排出物には温かい酸素が吹き込まれる。
【００２９】
そして、酸素とヒドラジン類とが、触媒板２６の存在下、下記反応式（４）で表わされるように反応する。
（４）Ｎ2Ｈ4＋Ｏ2→Ｎ2＋２Ｈ2Ｏ
上記した反応では、ヒドラジン類が酸素との反応により分解して、窒素（Ｎ2）と水（Ｈ2Ｏ）とが生成する。このようにして、貯留部２１に溜められる排出物中のヒドラジン類の全部または一部が酸素との反応により分解する。つまり、火災や爆発のおそれのあるヒドラジン類が無害化される無害化処理が行なわれる。
【００３０】
無害化処理により生成した窒素（Ｎ2）と水（Ｈ2Ｏ）とは、貯留部２１の気液分離機構により分離され、窒素（Ｎ2）は、気体排出路２５から系外に排出される。一方、水（Ｈ2Ｏ）は、適宜のタイミングで、排出バルブ２４が開かれることにより、系外に排出される。
以上のように、この燃料電池システム１では、アノード部８から排出される未反応ヒドラジン類が排出物として貯留部２１に溜められるとともに、アノード部８からクロスオーバーによりカソード部９に移動した未反応ヒドラジン類も、排出物として貯留部２１に溜められる。
【００３１】
そして、貯留部２１では、溜められた排出物に対して、酸素排出路２０から酸素が気泡として吹き込まれてヒドラジン類と酸素とが接触する。ヒドラジン類が、酸素と接触して分解することにより無害化処理が行なわれ、窒素（Ｎ2）および水（Ｈ2Ｏ）が生成する。生成した窒素（Ｎ2：気体成分）と水（Ｈ2Ｏ：液体成分）とは、貯留部２１の気液分離機構により分離され、それぞれ気体排出路２５および排出路２３から系外に排出される。
【００３２】
このように、この燃料電池システム１によれば、アノード部８およびカソード部９から排出される排出物に含有されるヒドラジン類が、ヒドラジン類の状態で、燃料電池システム１の系外へ排出されることを防止することができる。さらに、ヒドラジン類の無害化処理が、燃料電池２の発電のためにカソード部９に供給される酸素を利用して行なわれるので、ヒドラジン類を無害化処理する装置などを別途設ける必要がない。その結果、燃料電池システム１を、効率的に無害化処理することのできるシステムとして構築することができる。
【００３３】
また、排出物に対して、燃料電池２の発電による熱で温められた酸素（例えば、６０〜９０℃程度）を吹き込むことができるので、ヒドラジン類の分解反応を促進させることができる。さらに、貯留部２１に、触媒板２６が設置されているので、ヒドラジン類の分解反応を一層促進させることができる。
また、貯留部２１が気液分離器であることから、無害化処理により生じる気体成分（窒素（Ｎ2））を液体成分（水（Ｈ2Ｏ））と分離するための気液分離器を別途設ける必要がない。そのため、システムを簡略にすることができる。
【００３４】
さらに、カソード部９からの酸素が排出物に対して気泡として吹き込まれるので、酸素排出路２０内には、排出物の量に応じた負荷を与えることができ、酸素排出路２０内の圧力が増加させることができる。そのため、貯留部２１内の排出物の量を排出バルブ２４で調節することにより、カソード部９から酸素排出路２０へ排出される酸素の出口圧力（背圧）を調節することができる。つまり、カソード部９の背圧を調節する背圧調節器などを別途設けることなく、排出バルブ２４を調節するという単純な操作により、カソード部９の背圧を調節することができる。その結果、システムを簡略にすることができる。
（第２の実施形態）
図３は、本発明の燃料電池システムの第２の実施形態を示す概略構成図である。図３において、図１に示す各部に対応する部分には、それらの各部と同一の参照符号を付している。また、以下では、同一の参照符号を付した部分についての詳細な説明を省略する。
【００３５】
図３において、燃料電池システム３０は、燃料排出路１９を備えておらず、その代わりに、燃料電池２からの燃料を燃料供給部３へ還流するための還流部３１を備えている。
（Ｉ）還流部
還流部３１は、アノード部８から排出される燃料を燃料タンク１４へ戻す還流用流路３２を備えている。
【００３６】
還流用流路３２は、アノード部８と燃料タンク１４とを接続しており、具体的には、その上流側の一端がアノード部８の燃料流出口（図示せず）に接続され、その下流側の他端が燃料タンク１４の燃料流入口（図示せず）に接続されている。還流用流路３２の途中には、還流用バルブ３３が介在されている。
還流用バルブ３３は、還流用流路３２を開閉するための弁であって、例えば、電磁弁などの公知の開閉弁である。また、還流用バルブ３３は、制御部６と電気的に接続されており（図３の破線参照。）、制御部６からの入力信号により、その開閉が制御される。
【００３７】
その他の構成は、前述の第１の実施形態と同様であり、燃料電池２における発電のフローも同様である。
（Ｊ）ヒドラジン類を含有する排出物の無害化処理
この燃料電池システム３０では、燃料電池２の発電中、アノード部８で生成する水（Ｈ2Ｏ）およびその水と混合される未反応の燃料（ヒドラジン類）は、還流用バルブ３３が開かれることにより、還流用流路３２を通って、燃料タンク１４へ還流され、再度燃料電池２の発電に利用される。なお、燃料タンク１４は、燃料タンク１４とアノード部８との循環系内の燃料の濃度の低下度合に応じて、適宜濃度の高い燃料が充填されたタンクと取り替えられる。
【００３８】
この燃料電池システム３０では、アノード部８からクロスオーバーによりカソード部９に移動した未反応ヒドラジン類が、排出物として貯留部２１に溜められる。そして、貯留部２１では、溜められた排出物に対して、酸素排出路２０から酸素が気泡として吹き込まれることにより、ヒドラジン類の無害化処理が行なわれる。
そのため、カソード部９から排出されるヒドラジン類が、ヒドラジン類の状態で、燃料電池システム１の系外へ排出されることを防止することができる。さらに、ヒドラジン類の無害化処理が、燃料電池２の発電のためにカソード部９に供給される酸素を利用して行なわれるので、ヒドラジン類を無害化処理する装置などを別途設ける必要がない。その結果、燃料電池システム１を、効率的に無害化処理することのできるシステムとして構築することができる。
【００３９】
その他の作用および効果も前述の第１の実施形態と同様であるので、ここではその記述を省略する。
以上、本発明の２つの実施形態について説明したが、本発明の実施形態は、これらに限定されるものではなく、本発明の要旨を変更しない範囲で、適宜設計を変形することができる。
【００４０】
本発明の燃料電池システムの用途としては、例えば、電動車両、鉄道、船舶、航空機などが挙げられる。
また、前述の実施形態では、燃料電池システム１の発電において、酸素は、燃料電池２の目標発電電力量に必要な必要量よりも多い余剰量で供給されるとしたが、その量は、例えば、ヒドラジン類の濃度、アノード部８および／またはカソード部９から排出される排出物に含有されるヒドラジン類の量などに応じて適宜適切な量に調節することができる。それによって、無害化処理の処理効率を向上させることができる。
【００４１】
また、前述の実施形態では、無害化処理は、酸素供給ポンプ１８が稼動する燃料電池２の発電時に行なったが、例えば、燃料電池システム１，３０を電動車両に搭載する場合、車両の減速時や回生時など、燃料電池２での発電が行なわれていないときに、酸素供給ポンプ１８を稼動させて行なってもよい。
【図面の簡単な説明】
【００４２】
【図１】本発明の燃料電池システムの第１の実施形態を示す概略構成図である。
【図２】図１に示す貯留部の内部構成を示す断面図である。
【図３】本発明の燃料電池システムの第２の実施形態を示す概略構成図である。
【符号の説明】
【００４３】
１    燃料電池システム
２    燃料電池
３    燃料供給部
４    酸素供給部
７    電解質膜
８    アノード部
９    カソード部
２０  酸素排出路
２１  貯留部
【図１】
0005325433.tif 000002
【図２】
0005325433.tif 000003
【図３】
0005325433.tif 000004